(57)【要約】【課題】  鉄骨造床屋根構造において支柱を簡易に取り付けることを可能とする仮設手摺用支柱取付構造を提供する。【解決手段】  デッキプレート４に仮設手摺用支柱２２を取り付ける場合に用いられる仮設手摺用支柱取付構造Ｋであって、支柱基礎部材６とジョイント部材２１とを備え、前記支柱基礎部材６は、ベースプレート１２裏面に配設され前記デッキプレート４と嵌合されるデッキプレート取付部１３を有してなるものである。【選択図】  図１
2006009321.tif 000002
【特許請求の範囲】
【請求項１】
デッキプレートに仮設手摺用支柱を取り付ける場合に用いられる仮設手摺用支柱取付構造であって、
支柱基礎部材とジョイント部材とを備え、
前記支柱基礎部材は、ベースプレートと、該ベースプレート上面に配設された管状の支柱接続部と、同ベースプレート裏面に配設され前記デッキプレートと嵌合されるデッキプレート取付部とを有し、
前記ジョイント部材は、前記支柱接続部に嵌装される下側嵌装部と、支柱に嵌装される上側嵌装部とを有してなる
ことを特徴とする仮設手摺用支柱取付構造。
【請求項２】
デッキプレート取付部は、取り付けられる側のデッキプレートと同一サイズのデッキプレートを用いて形成されてなることを特徴とする請求項１記載の仮設手摺用支柱取付構造。
【請求項３】
仮設手摺用支柱の撤去後における支柱接続部の開口端部を養生する養生部材を備えてなることを特徴とする請求項１記載の仮設手摺用支柱取付構造。
【発明の詳細な説明】
【技術分野】
【０００１】
本発明は、仮設手摺用支柱取付構造に関する。さらに詳しくは、鉄骨造床屋根に簡易に支柱を設けることを可能とする仮設手摺用支柱取付構造に関する。
【背景技術】
【０００２】
デッキプレートを下地とした従来の一般的な鉄骨造床屋根構造は、図８に示すように、屋根構造１００のデッキプレート１０１の上面にコンクリート１０２を打設し、その上に防水シート１０３を例えば接着剤により貼設してなるものである。
【０００３】
このコンクリート打設の屋根構造は、コンクリート１０２の打設・養生のための時間が必要であり、施工日数の長期化を招来する。また、コンクリート１０２の重量により屋根が重くなるため、近年における屋根軽量化の要請に応じることが困難になるといった難点がある。
【０００４】
このため、近年においては、デッキプレートの上に断熱材を敷設し、その上に防水シートを貼設するだけで、コンクリートを用いない乾式の屋根構造が多く採用されるようになってきている（特許文献１参照）。
【０００５】
一方、近年、建物外壁のパネル化がますます進展し、これに伴って、建物周囲に足場を組むことなく施工を行う場合も多くなってきている。このような場合には、軒樋を取り付ける等の軒先まわりの作業を行う際の作業員の墜落を防止するために、屋根周縁に仮設手摺等を設けることが必要になる。
【０００６】
このため、従来、図９に示すように、デッキプレート２０１を支持する梁２０２にサヤ管２０３を直接に取り付け、これにジョイント部材２０４を介して支柱２０５を取り付けて、仮設手摺を設けるようにしている。ところが、前記したような鉄骨造床屋根においては、解体を容易とし、かつ鉄骨梁、デッキプレートといった資材の再使用を可能とするために、溶接等によりデッキプレートを梁に直接に取り付けるのではなく、Ｃ形鋼等を介して取り付ける場合が多くなってきている（後掲図１参照）。この場合は、デッキプレートと梁との間が離れていることに加え、屋根構成部材が梁の上方まで延伸形成されているため、前記したサヤ管を梁に取り付けることが困難になり、仮設手摺等を設けることができなくなるといった問題がある。
【０００７】
また、サヤ管を溶接により梁に取り付けると、梁の再使用に支障を来すという不都合もある。
【特許文献１】特開２０００−２５７２０１号公報
【発明の開示】
【発明が解決しようとする課題】
【０００８】
本発明はかかる従来技術の課題に鑑みなされたものであって、鉄骨造床屋根構造において支柱を簡易に取り付けることを可能とする仮設手摺用支柱取付構造を提供することを目的としている。
【課題を解決するための手段】
【０００９】
本発明の仮設手摺用支柱取付構造は、デッキプレートに仮設手摺用支柱を取り付ける場合に用いられる仮設手摺用支柱取付構造であって、支柱基礎部材とジョイント部材とを備え、前記支柱基礎部材は、ベースプレートと、該ベースプレート上面に配設された管状の支柱接続部と、同ベースプレート裏面に配設され前記デッキプレートと嵌合されるデッキプレート取付部とを有し、前記ジョイント部材は、前記支柱接続部に嵌装される下側嵌装部と、支柱に嵌装される上側嵌装部とを有してなることを特徴とする。
【００１０】
本発明の仮設手摺用支柱取付構造においては、デッキプレート取付部は、取り付けられる側のデッキプレートと同一サイズのデッキプレートを用いて形成されてなるのが好ましい。
【００１１】
また、本発明の仮設手摺用支柱取付構造においては、仮設手摺用支柱の撤去後における支柱接続部の開口端部を養生する養生部材を備えてなるのが好ましい。
【発明の効果】
【００１２】
本発明によれば、デッキプレートに簡易に仮設手摺用支柱を設けることができるという優れた効果が得られる。
【発明を実施するための最良の形態】
【００１３】
以下、添付図面を参照しながら本発明を実施形態に基づいて説明するが、本発明はかかる実施形態のみに限定されるものではない。
【００１４】
実施形態１
図１に本発明の実施形態１に係る仮設手摺用支柱取付構造を示す。
【００１５】
仮設手摺用支柱取付構造（以下、単に支柱取付構造という）Ｋは、図１に示すように、Ｈ型鋼からなる梁１に、金具２によりＣ形鋼（Ｃ１００×５０）からなる水平材（母屋）３を取り付け、水平材３の上にデッキプレート４をビス止めにより固定し、デッキプレート４の上に断熱材５を敷設し、断熱材５の上に防水シート３２（後掲図５参照）を貼設してなる屋根構造に対して、デッキプレート４の上に所定構造の支柱基礎部材６を例えばビス止めにより固定し、これにより仮設手摺用支柱を簡易に取り付けることを可能にしたものとされる。
【００１６】
ここで、デッキプレート４は、台形の山と谷を所定ピッチで交互に並べた断面形状の金属製波板とされている（図３参照）。また、支柱基礎部材６は、屋根周囲端部から内側約１メートルの位置に屋根周囲端部に沿って所定間隔で並べて設けられるものとされる。
【００１７】
図２に、支柱基礎部材６の詳細を示す。
【００１８】
支柱基礎部材６は、支柱が接続される管状の支柱接続部１１と、支柱接続部１１が例えば溶接により固定される長方形のベースプレート１２と、ベースプレート１２が上部に取り付けられるとともに、デッキプレート４と嵌合可能なようにデッキプレート４と同じ形状の山と谷が同一ピッチで形成された波板状の、すなわちデッキプレート４を所定サイズに切除した形状のデッキプレート取付部１３とを備えてなるものとされる。ここで、デッキプレート取付部１３の平面視形状、寸法とベースプレート１２の形状、寸法とはほぼ同一とされる。
【００１９】
また、支柱基礎部材６は、図２（ａ）、（ｂ）に示すように、ベースプレート１２の長辺の方向とデッキプレート取付部１３の山および谷の延びる方向との関係で区別される２種類の支柱基礎部材６Ａ、６Ｂが用いられる。これは、図２（ｃ）に示すように、デッキプレート４の山および谷が延びる方向と一致する方向（両頭の矢符Ａにより示す方向。方向Ａと称する）に支柱基礎部材６を並べる場合と、デッキプレート４の山および谷が延びる方向と直交する方向（両頭の矢符Ｂにより示す方向。方向Ｂと称する）に支柱基礎部材６を並べる場合とがあることに対応している。
【００２０】
すなわち、方向Ｂに支柱基礎部材６を並べる場合にはベースプレート１２の長辺の方向とデッキプレート取付部１３の山および谷の延びる方向とが一致するように形成された支柱基礎部材６Ａが用いられ、方向Ａに支柱基礎部材６を並べる場合にはベースプレート１２の長辺の方向とデッキプレート取付部１３の山および谷の延びる方向とが直交するように形成された支柱基礎部材６Ｂが用いられる。
【００２１】
図３に、支柱基礎部材６をデッキプレート４に取り付けた状態を示す。ここでは、支柱基礎部材６は、デッキプレート取付部１３の山、谷がデッキプレート４の山、谷と嵌り合うようにデッキプレート４上に載置され、ベースプレート１２の上からベースプレート１２およびデッキプレート取付部１３を貫通させるようにビス止めされるものとされる。
【００２２】
支柱接続部１１には、ジョイント部材２１が嵌装され、これに支柱２２が嵌装されて、支柱２２が支柱接続部１１に接続される。
【００２３】
図４に、ジョイント部材２１の詳細を示す。
【００２４】
ジョイント部材２１は、支柱接続部１１および支柱２２の内径より若干大径とされた円柱状の中間部２１ａと、中間部２１ａの軸方向両側に設けられ支柱接続部１１および支柱２２内にそれぞれ嵌装される嵌装部２１ｂ、２１ｃから構成されている。
【００２５】
嵌装部２１ｂ、２１ｃは、２分割された円柱形状とされ、各切片の間の角度θを中間部２１ａに設けられたねじと梃子との組み合わせによる角度調整機構により調整して、支柱接続部１１および支柱２２が抜け落ちないように固定し、これにより支柱接続部１１に支柱２２を接続するものとされる。
【００２６】
図５に、非使用時の支柱基礎部材６の養生方法を示す。すなわち、支柱基礎部材６は、新築時のみならず軒樋交換、修理等のメンテナンスの際にも用いられるものであり、長期にわたって使用可能な状態に保つ必要があるからである。
【００２７】
同図に示すように、支柱基礎部材６の支柱接続部１１は、非使用時に上端部開口を塞ぐように養生する養生部材、例えば蓋部材３１が装着されるものとされる。
【００２８】
蓋部材３１は、図５（ａ）に示すように、蓋部本体をなす丸形のプレート３１ａの下面に雄ねじ３１ｂが形成された短い筒状のボス部３１ｃを設けてなるものとされる。一方、支柱基礎部材６の支柱接続部１１の上端部内面には雌ねじ１１ａが形成されており、図５（ｂ）に示すように、ボス部３１ｃの雄ねじ３１ｂと支柱接続部１１の雌ねじ１１ａとを螺合させて、ボス部３１ｃを支柱接続部１１内に締め込むことによって、蓋部材３１は支柱接続部１１に装着される。
【００２９】
また、支柱基礎部材６の屋根上における配設位置に対応して、防水シート３２には立ち上がり部３２ａが設けられその頂面にはボス部３１ｃの径に等しい孔（不図示である）が穿設されており、図５（ｂ）に示すように、前記孔にボス部３１ｃが通され、ボス部３１ｃが支柱接続部１１内に締め込まれたときに前記孔の周縁部３２ｂがプレート３１ａ下面と支柱接続部１１上端面との間に挟み込まれ、これにより防水シート３２の防水性が確保される。
【００３０】
このように、本発明の屋根の支柱取付構造Ｋによれば、支柱接続部１１、ベースプレート１２およびデッキプレート取付部１３をユニット化して支柱基礎部材６を形成し、このユニット化された支柱基礎部材６をデッキプレート４上の所望位置に例えばビス止めにより固定するだけで仮設手摺用の支柱を屋根に取り付けることが可能となる。
【００３１】
したがって、デッキプレート４と梁１とが上下に離れていることに加え、屋根構成部材が梁の上方まで延伸形成されているため、梁１にいわゆるサヤ管を固定して支柱を取り付けることが困難な場合にも、簡易に仮設手摺用の支柱を取り付けることが可能となる。また、梁１にサヤ管等を溶接して取り付ける必要がないため、解体性が向上し、梁の再利用が容易となる。
【００３２】
また、支柱基礎部材６を一旦デッキプレート４に取り付ければ、特に盛り替えの必要はなく、施工終了後も前記した保守方法により存置して、メンテナンスの際に再利用することができる。
【００３３】
なお、本発明の屋根の支柱取付構造は、コンクリートを用いないいわゆる乾式の鉄骨造床屋根構造に限らず、コンクリートを用いた屋根構造であっても、例えば階段周りなどのデッキプレートがコンクリートに覆われないはね出しとなっている部分に支柱を取り付ける場合にも適用することができる。
【００３４】
また、図６に示すように、梁１にデッキプレート４を直接に取り付けてなる屋根構造においても、梁１の真上以外の位置Ｌ１、Ｌ２に仮設手摺用支柱を設ける必要がある場合には、その位置Ｌ１、Ｌ２に支柱基礎部材６を配設することによって支柱を取り付けることが可能となる。したがって、支柱配設の自由度が増大する。
【００３５】
実施形態２
図７に、本発明の実施形態２を示し、この実施形態２は実施形態１を改変してなるものであり、支柱接続部１１と支柱２２とを接続するための接続方法を変更し、それにともないジョイント部材を改変し、ジョイント部材２１Ａとしてなるものとされる。なお、実施形態２のその余の構成は、実施形態１と同様である。
【００３６】
ジョイント部材２１Ａは、図７に示すように、支柱接続部１１および支柱２２の内径よりは若干大径とされた円柱状の中間部２１ｄと、中間部２１ｄの軸方向両側に設けられ支柱接続部１１および支柱２２内にそれぞれ嵌装されて支柱接続部１１および支柱２２と係合される係合部２１ｅ、２１ｆとを備えてなるものとされる。
【００３７】
係合部２１ｅ、２１ｆには、支柱接続部１１および支柱２２のそれぞれの端部に対向させて形成されたＬ字状の係合溝１１ａ，２２ａにそれぞれ係合する頭付係合ピン２１ｇが対向させて植設されている。
【００３８】
しかして、ジョイント部材２１Ａと支柱接続部１１および支柱２２との係合は常法によりなされる。
【産業上の利用可能性】
【００３９】
本発明は、仮設手摺等の設置が必要な鉄骨造床屋根に適用できる。
【図面の簡単な説明】
【００４０】
【図１】本発明の実施形態１に係る仮設手摺用支柱取付構造を示す一部断面図である。
【図２】同支柱取付構造に用いられる支柱基礎部材の詳細図であって、同（ａ）はその１つの型の斜視図であり、同（ｂ）は他の一つの型の斜視図てあり、同（ｃ）は各型の支柱基礎部材の配設の態様を示す平面図である。
【図３】同支柱基礎部材をデッキプレートに取り付けた状態を模式的に示す側面図である。
【図４】ジョイント部材の一例の詳細を示す一部断面図である。
【図５】同支柱基礎部材の非使用時の保守方法を示す模式図である。
【図６】本発明の他の適用例を示す模式図である。
【図７】本発明の実施形態２のジョイント部材の詳細図であって、同(ａ)は分解図であり、同(ｂ)は同(ａ)のＡ−Ａ線断面図である。
【図８】従来の湿式の鉄骨造床屋根構造の一例を示す断面図である。
【図９】従来の仮設手摺用支柱取付構造の一例を示す断面図である。
【符号の説明】
【００４１】
Ｋ  支柱取付構造
１  梁
３  Ｃ形鋼
４  デッキプレート
５  断熱材
６  支柱基礎部材
１１  支柱接続部
１２  ベースプレート
１３  デッキプレート取付部
２１  ジョイント部材
２２  支柱
３１  蓋部材
【図１】
2006009321.tif 000003
【図２】
2006009321.tif 000004
【図３】
2006009321.tif 000005
【図４】
2006009321.tif 000006
【図５】
2006009321.tif 000007
【図６】
2006009321.tif 000008
【図７】
2006009321.tif 000009
【図８】
2006009321.tif 000010
【図９】
2006009321.tif 000011